【手続補正書】
【提出日】平成26年8月4日(2014.8.4)
【手続補正１】
【補正対象書類名】明細書
【補正対象項目名】０００６
【補正方法】変更
【補正の内容】
【０００６】
上記課題を解決するため、本発明の手ぶれ補正装置は、撮像手段により逐次撮像される被写体の画像データに生じる手ぶれを補正する手ぶれ補正を逐次行う補正手段と、前記撮像手段により撮像された前記被写体の画像データに基づいて、前記被写体を構成する複数の被写体構成部の位置に関連する規則性を特定する特定手段と、この特定手段により特定された前記規則性に基づいて、前記補正手段による手ぶれ補正を制御する制御手段と、を備えたことを特徴としている。
【手続補正２】
【補正対象書類名】明細書
【補正対象項目名】０００７
【補正方法】変更
【補正の内容】
【０００７】
また、本発明の手ぶれ補正方法は、手ぶれ補正装置を用いた手ぶれ補正方法であって、撮像手段により逐次撮像される被写体の画像データに生じる手ぶれを補正する手ぶれ補正を逐次行う処理と、前記撮像手段により撮像された前記被写体の画像データに基づいて、前記被写体を構成する複数の被写体構成部の位置に関連する規則性を特定する処理と、特定された前記規則性に基づいて、前記手ぶれ補正を制御する処理と、を含むことを特徴としている。
【手続補正３】
【補正対象書類名】明細書
【補正対象項目名】０００８
【補正方法】変更
【補正の内容】
【０００８】
また、本発明のプログラムは、手ぶれ補正装置のコンピュータを、撮像手段により逐次撮像される被写体の画像データに生じる手ぶれを補正する手ぶれ補正を逐次行う補正手段、前記撮像手段により撮像された前記被写体の画像データに基づいて、前記被写体を構成する複数の被写体構成部の位置に関連する規則性を特定する特定手段、この特定手段により特定された前記規則性に基づいて、前記補正手段による手ぶれ補正を制御する制御手段、として機能させることを特徴としている。
【手続補正４】
【補正対象書類名】特許請求の範囲
【補正対象項目名】全文
【補正方法】変更
【補正の内容】
【特許請求の範囲】
【請求項１】
撮像手段により逐次撮像される被写体の画像データに生じる手ぶれを補正する手ぶれ補正を逐次行う補正手段と、
前記撮像手段により撮像された前記被写体の画像データに基づいて、前記被写体を構成する複数の被写体構成部の位置に関連する規則性を特定する特定手段と、
この特定手段により特定された前記規則性に基づいて、前記補正手段による手ぶれ補正を制御する制御手段と、
を備えたことを特徴とする手ぶれ補正装置。
【請求項２】
前記特定手段により特定された前記規則性に基づいて、前記撮像手段により撮像される当該被写体の撮像範囲が連続的に変化する範囲変化方向を予測する予測手段を更に備え、
前記制御手段は、前記予測手段により予測された前記範囲変化方向の前記補正手段による手ぶれ補正を抑制することを特徴とする請求項１に記載の手ぶれ補正装置。
【請求項３】
前記撮像手段により逐次撮像される被写体の画像データを逐次表示する表示手段を更に備え、
前記特定手段は、前記表示手段により被写体の画像データを逐次表示している最中に、前記被写体を構成する複数の被写体構成部の位置に関連する規則性を逐次特定し、
前記制御手段は、前記特定手段により逐次特定される前記規則性に基づいて、前記補正手段による手ぶれ補正を抑制する方向を逐次変化させることを特徴とする請求項１または２に記載の手ぶれ補正装置。
【請求項４】
前記撮像手段により逐次撮像される被写体の画像データを逐次表示する表示手段を更に備え、
前記特定手段は、前記表示手段により被写体の画像データを逐次表示している最中に、前記被写体を構成する複数の被写体構成部の位置に関連する規則性を逐次特定し、
前記予測手段は、前記特定手段により逐次特定される前記規則性に基づいて、前記予測される範囲変化方向の変化を逐次検出し、
前記制御手段は、前記予測手段により逐次検出される前記範囲変化方向の変化に応じて前記補正手段による手ぶれ補正を抑制する方向を逐次変化させることを特徴とする請求項２に記載の手ぶれ補正装置。
【請求項５】
前記被写体は、前記被写体構成部としての文字を有するテキストを含み、
前記特定手段は、更に、
前記撮像手段により撮像された前記テキストの画像データに基づいて、当該テキストを構成する複数の文字の集合、当該複数の文字の配列及び前記複数の文字の集合を他の被写体構成部と区切る区切り部のうちの少なくとも何れか一を基準として前記規則性を特定することを特徴とする請求項１〜４の何れか一項に記載の手ぶれ補正装置。
【請求項６】
前記被写体は、前記被写体構成部としての文字を有するテキストを含み、
前記撮像手段により撮像された前記テキストの画像データに基づいて、当該テキストを構成する文字を認識する第１認識手段を更に備え、
前記特定手段は、
前記第１認識手段により認識された文字に係る当該複数の文字の集合及び当該複数の文字の配列のうちの少なくとも一方を基準として、前記規則性を特定することを特徴とする請求項１〜５の何れか一項に記載の手ぶれ補正装置。
【請求項７】
前記被写体は、前記被写体構成部としての文字を有するテキストを含み、
前記特定手段は、更に、
前記撮像手段により撮像された前記テキストの画像データに基づいて、当該テキストを構成する複数の文字の集合、当該複数の文字の配列及び前記複数の文字の集合を他の被写体構成部と区切る区切り部のうちの少なくとも何れか一を基準として前記規則性を特定し、
前記予測手段は、更に、
前記特定手段により特定された前記複数の文字の集合及び前記複数の文字の配列のうちの少なくとも一方を基準とする前記規則性に基づいて、前記範囲変化方向を予測することを特徴とする請求項２または４に記載の手ぶれ補正装置。
【請求項８】
前記予測手段は、更に、
前記テキストを構成する複数の文字の集合の位置を基準として、前記テキストの前記撮像手段による撮像範囲の外側であって、前記テキストを前記文字の集合とともに構成し当該文字の集合と関連する文字の存する方向を、前記範囲変化方向として予測することを特徴とする請求項７に記載の手ぶれ補正装置。
【請求項９】
前記予測手段は、更に、
前記テキストを構成する複数の文字の集合の位置を基準として、前記テキストの前記撮像手段による撮像範囲の外側であって、前記テキストを前記文字の集合とともに構成し当該文字の集合と関連する文字の存する方向と、前記複数の文字の並び方向とに基づいて、前記範囲変化方向を予測することを特徴とする請求項７に記載の手ぶれ補正装置。
【請求項１０】
前記被写体は、前記被写体構成部としての文字を有するテキストを含み、
前記撮像手段により撮像された前記テキストの画像データに基づいて、当該テキストを構成し、前記複数の文字の集合を他の被写体構成部と区切る区切り部を認識する第２認識手段を更に備え、
前記特定手段は、
前記第２認識手段により認識された前記区切り部を基準として、前記規則性を特定することを特徴とする請求項２または４に記載の手ぶれ補正装置。
【請求項１１】
前記予測手段は、更に、
前記特定手段により特定された前記区切り部を基準とする前記規則性に基づいて、前記範囲変化方向を予測することを特徴とする請求項１０に記載の手ぶれ補正装置。
【請求項１２】
前記予測手段は、更に、
前記テキストを構成する複数の文字の集合の位置を基準として、前記テキストの前記撮像手段による撮像範囲の外側であって、前記テキストを前記文字の集合とともに構成する前記区切り部の存する方向を、前記範囲変化方向として予測することを特徴とする請求項１１に記載の手ぶれ補正装置。
【請求項１３】
前記予測手段により予測された前記範囲変化方向と異なる方向に前記撮像手段による撮像範囲が変化した変化量を検出する検出手段と、
この検出手段により検出された変化量が所定の値以上であるか否かを判定する判定手段とを更に備え、
前記補正手段は、
前記判定手段により前記変化量が所定の値以上であると判定された場合に、前記変化量が所定の値以上でない場合よりも前記範囲変化方向と異なる方向の手ぶれ補正の強度を相対的に弱くすることを特徴とする請求項１〜１２の何れか一項に記載の手ぶれ補正装置。
【請求項１４】
前記抑制手段は、更に、
拡大手段による拡大率が所定の値以上の拡大率で拡大された被写体の画像データに前記被写体構成部としての文字が含まれる場合に、前記予測手段により予測された前記範囲変化方向の前記補正手段による手ぶれ補正を抑制することを特徴とする請求項１〜１３の何れか一項に記載の手ぶれ補正装置。
【請求項１５】
被写体の画像データを所定の拡大率で拡大して表示手段に表示する動作モードを設定する設定手段を更に備え、
前記抑制手段は、
前記設定手段により前記動作モードが設定された場合に、前記予測手段により予測された前記範囲変化方向の前記補正手段による手ぶれ補正を抑制することを特徴とする請求項１〜１３の何れか一項に記載の手ぶれ補正装置。
【請求項１６】
前記被写体は、前記被写体構成部としての文字を有するテキストを含み、
前記動作モードは、前記テキストの画像データを所定の拡大率で拡大して前記表示手段に表示するテキスト表示モードを含み、
前記抑制手段は、
前記設定手段により前記テキスト表示モードが設定された場合に、前記特定手段により特定された前記テキストを構成する複数の文字の集合及び前記複数の文字の配列のうちの 
少なくとも一方を基準とする前記規則性に基づいて前記予測手段により予測された前記範囲変化方向の前記補正手段による手ぶれ補正を抑制することを特徴とする請求項１５に記載の手ぶれ補正装置。
【請求項１７】
前記抑制手段により前記範囲変化方向の手ぶれ補正が抑制された状態で前記撮像手段により撮像された被写体の画像データを表示手段に出力する出力制御手段を更に備えることを特徴とする請求項１〜１６の何れか一項に記載の手ぶれ補正装置。
【請求項１８】
手ぶれ補正装置を用いた手ぶれ補正方法であって、
撮像手段により逐次撮像される被写体の画像データに生じる手ぶれを補正する手ぶれ補正を逐次行う処理と、
前記撮像手段により撮像された前記被写体の画像データに基づいて、前記被写体を構成する複数の被写体構成部の位置に関連する規則性を特定する処理と、
特定された前記規則性に基づいて、前記手ぶれ補正を制御する処理と、
を含むことを特徴とする手ぶれ補正方法。
【請求項１９】
手ぶれ補正装置のコンピュータを、
撮像手段により逐次撮像される被写体の画像データに生じる手ぶれを補正する手ぶれ補正を逐次行う補正手段、
前記撮像手段により撮像された前記被写体の画像データに基づいて、前記被写体を構成する複数の被写体構成部の位置に関連する規則性を特定する特定手段、
この特定手段により特定された前記規則性に基づいて、前記補正手段による手ぶれ補正を制御する制御手段、
として機能させることを特徴とするプログラム。